(57)【要約】【課題】ユーザが印刷設定を行なう場合の負担を軽減することができるＦＡＸ装置、印刷装置を提供する。【解決手段】制御部は、給紙部に用紙がセットされたことを検出すると、セットされた用紙の種別をユーザに問い合わせ、ユーザにより印刷設定として入力部を介して受付けた用紙の種別を記録し、印刷設定として入力部を介してユーザから入力された用紙の種別に応じて、給紙部から用紙を給紙させ、給紙させた前記用紙に対して印刷部に印刷を行わせる。そして、問い合わせは、印刷設定中である第１の場合は、印刷設定としてユーザから入力された用紙の種別を初期値として行い、通常状態である第２の場合は、それまでに記録していた用紙の種別を初期値として行う。【選択図】図４
2018093499.tif 000002
【特許請求の範囲】
【請求項１】
入力部と、
給紙部と、
印刷部と、
制御部と、
ＦＡＸ通信部と、を備え、
前記制御部は、前記給紙部に用紙がセットされたことを検出すると、セットされた前記用紙の種別をユーザに問い合わせ、ユーザにより印刷設定として前記入力部を介して受付けた用紙の種別を記録し、
前記印刷設定として前記入力部を介してユーザから入力された用紙の種別に応じて、前記給紙部から用紙を給紙させ、給紙させた前記用紙に対して前記印刷部に印刷を行わせ、
前記問い合わせは、前記印刷設定中である第１の場合は、前記印刷設定としてユーザから入力された用紙の種別を初期値として行い、通常状態である第２の場合は、それまでに記録していた用紙の種別を初期値として行う、ことを特徴とするＦＡＸ装置。
【請求項２】
前記給紙部は、複数の紙置き場を有し、
前記第１の場合に前記印刷設定として前記入力部を介してユーザが入力した対象である前記紙置き場に用紙がセットされると、前記問い合わせは、ユーザから入力された前記用紙の種別を初期値とし、
前記第１の場合に前記印刷設定として前記入力部を介してユーザが入力した対象でない前記紙置き場に用紙がセットされると、前記問い合わせは、それまで記録していた用紙の種別を初期値とする、ことを特徴とする請求項１に記載のＦＡＸ装置。
【請求項３】
前記紙置き場は、ユーザが操作することで機構的に給紙元となる前記紙置き場を選択する切替え機構を備えた給紙カセットである、ことを特徴とする請求項２に記載のＦＡＸ装置。
【請求項４】
第１の用紙をセット可能な第１紙置き場と、
前記第１の用紙をセット不可能な第２紙置き場と、をさらに備え、
前記印刷設定において前記第１の用紙を入力した前記第１の場合、前記問い合わせは、前記第１紙置き場に用紙がセットされると前記第１の用紙を初期値として行い、または、前記第２紙置き場に用紙がセットされると、それまで記録していた用紙の種別を初期値として行う、ことを特徴とする請求項１に記載のＦＡＸ装置。
【請求項５】
前記第１の場合に、向きの別がある用紙を前記印刷設定としてユーザが入力した場合、前記制御部は、前記問い合わせに先だって、ユーザに前記向きの別がある用紙のセット方法を案内し、または、向きの別がない用紙を前記印刷設定としてユーザが入力した場合、前記制御部は、ユーザに用紙のセット方法を案内しない、ことを特徴とする請求項１から請求項４のいずれか一項に記載のＦＡＸ装置。
【請求項６】
表示部を備え、
前記問い合わせは、前記表示部が画像を表示することで行う、ことを特徴とする請求項１から請求項５のいずれか一項に記載のＦＡＸ装置。
【請求項７】
入力部と、
給紙部と、
印刷部と、
制御部と、を備え、
前記制御部は、前記給紙部に用紙がセットされたことを検出すると、セットされた前記用紙の種別をユーザに問い合わせ、ユーザにより印刷設定として前記入力部を介して受付けた用紙の種別を記録し、
前記印刷設定として前記入力部を介してユーザから入力された用紙の種別に応じて、前記給紙部から用紙を給紙させ、給紙させた前記用紙に対して前記印刷部に印刷を行わせ、
前記問い合わせは、前記印刷設定中である第１の場合は、前記印刷設定としてユーザから入力された用紙の種別を初期値として行い、通常状態である第２の場合は、前記印刷設定とは無関係に決まっている用紙の種別を初期値として行う、ことを特徴とする印刷装置。
【発明の詳細な説明】
【技術分野】
【０００１】
本発明は、印刷設定により使用する用紙の設定を行なうことができる、ＦＡＸ装置、印刷装置に関する。
【背景技術】
【０００２】
従来、ＦＡＸ装置や印刷装置等の用紙に対して印刷を行う装置では、給紙部にセットされた用紙を装置内部に供給して、印刷を行う（例えば、特許文献１参照）。
また、印刷設定により用紙を設定して、印刷を行うことができる装置も知られている。ユーザは、装置に備えられた操作パネルや外部装置を操作して複数の給紙部の各々にセットする用紙の種別（用紙サイズ、紙種、等）を設定することで、装置は印刷データで設定された用紙の種別の紙がセットされた給紙部から給紙を行い、設定された用紙の種別に応じたパラメータで、印刷を行う。
【先行技術文献】
【特許文献】
【０００３】
【特許文献１】特開２０１０−４２８９３号公報
【発明の概要】
【発明が解決しようとする課題】
【０００４】
本発明は、ユーザが給紙部にセットする用紙の種別の設定を行なう場合の負担を軽減することができるＦＡＸ装置、印刷装置の提供を目的とする。
【課題を解決するための手段】
【０００５】
[適用例１]
上記課題を解決するために、本発明の一態様では、入力部と、給紙部と、印刷部と、制御部と、ＦＡＸ通信部と、を備え、前記制御部は、前記給紙部に用紙がセットされたことを検出すると、セットされた前記用紙の種別をユーザに問い合わせ、ユーザにより印刷設定として前記入力部を介して受付けた用紙の種別を記録し、前記印刷設定として前記入力部を介してユーザから入力された用紙の種別に応じて、前記給紙部から用紙を給紙させ、給紙させた前記用紙に対して前記印刷部に印刷を行わせ、前記問い合わせは、前記印刷設定中である第１の場合は、前記印刷設定としてユーザから入力された用紙の種別を初期値として行い、通常状態である第２の場合は、それまでに記録していた用紙の種別を初期値として行う。
【０００６】
上記のように構成された発明では、制御部は、給紙部に用紙がセットされたことを検出すると、セットされた用紙の種別をユーザに問い合わせる。また、制御部が行う問い合わせは、印刷設定中である第１の場合は、印刷設定としてユーザから入力された用紙の種別を初期値として行い、通常状態である第２の場合は、それまでに記録していた用紙の種別を初期値として行う。即ち、問い合わせにおいて、印刷設定で時前に設定した用紙が初期値であれば、そのまま設定を確定することができる。一方、印刷設定を行なっていない場合は、それまでに記録していた用紙の種別を初期値とする。
そのため、印刷設定を行う場合のみ、設定した用紙の種別が初期値として反映されるため、ユーザが用紙をセットする際の負担を軽減することができる。
ここで、入力部は、ＦＡＸ装置の一部として構成される操作部を通じてユーザからの操作を受け付ける部位以外にも、ユーザが外部装置を操作して入力を装置に送信する場合に、送信された入力を受付ける部位も含む。
また、問い合わせは、ユーザに用紙の種別を問い合わせるものであればどのようなものであってもよく、画面の表示の他、音声も含む概念である。
そして、印刷設定とは、用紙に対して印刷を行う場合の設定の総称であり、ＦＡＸ受信や、コピーの際の設定を含む。
なお、「用紙がセットされたことを検出する」ということは、直接的に用紙をセンサーで検知することに限られず、用紙がセットされるトレイがセットされたことセンサー等で検知するというような、間接的に検知することも含む。このように間接的に検知する場合には、実際には用紙がトレイにセットされていない場合であっても、トレイがセットされたことで、用紙がセットされたものとして検出してもよい。
【０００７】
[適用例２]
本発明の一態様では、前記給紙部は、複数の紙置き場を有し、前記第１の場合に前記印刷設定として前記入力部を介してユーザが入力した対象である前記紙置き場に用紙がセットされると、前記問い合わせは、ユーザから入力された前記用紙の種別を初期値とし、前記第１の場合に前記印刷設定として入力部を介してユーザが入力した対象でない前記紙置き場に用紙がセットされると、前記問い合わせは、それまで記録していた用紙の種別を初期値とする。
上記のように構成された発明では、ユーザが用紙をセットした紙置き場に応じて、問い合わせの初期値を変化させるため、印刷設定で紙置き場を設定する場合であっても、本発明を適用することができる。
ここで、紙置き場とは、給紙部の一部として構成され、給紙部により給紙される用紙をセットする場所を意味し、用紙トレイ、用紙カセット、を含む。
【０００８】
[適用例３]
本発明の一態様では、前記紙置き場は、ユーザが操作することで機構的に給紙元となる前記紙置き場を選択する切替え機構を備えた給紙カセットである。
上記のように構成された発明では、１つの給紙カセット内に異なる紙置き場を備える場合でも、本発明を適用することができる。
【０００９】
[適用例４]
本発明の一態様では、第１の用紙をセット可能な第１紙置き場と、前記第１の用紙をセット不可能な第２紙置き場と、をさらに備え、前記印刷設定において前記第１の用紙を入力した前記第１の場合、前記問い合わせは、前記第１紙置き場に用紙がセットされると前記第１の用紙を初期値として行い、または、前記第２紙置き場に用紙がセットされると、それまで記録していた用紙の種別を初期値として行う。
上記のように構成された発明では、紙置き場ごとにセット可能な用紙の制限がある場合に、問い合わせの初期値を変化させるため、ユーザの用紙のセットミスを減らすことができる。
【００１０】
[適用例５]
本発明の一態様では、前記第１の場合に、向きの別がある用紙を前記印刷設定としてユーザが入力した場合、前記制御部は、前記問い合わせに先だって、ユーザに前記向きの別がある用紙のセット方法を案内し、または、向きの別がない用紙を前記印刷設定としてユーザが入力した場合、前記制御部は、ユーザに用紙のセット方法を案内しない。
上記のように構成された発明では、問い合わせに先だって、用紙のセット方法を案内するため、ユーザの用紙のセットミスを減らすことができる。
【００１１】
[適用例６]
本発明の一態様では、表示部を備え、前記問い合わせは、前記表示部が画像を表示することで行う。
上記のように構成された発明では、ユーザに初期値の問合せを視覚的に通知することができる。
【００１２】
また、本発明は、ＦＡＸ装置として捉えるのみならず、印刷装置としても捉えることができる。
【図面の簡単な説明】
【００１３】
【図１】ＦＡＸ装置の外観を示す外観図。
【図２】ＦＡＸ装置のハードウェア構成図。
【図３】フラッシュメモリ５４に記録されている設定テーブルを説明する図。
【図４】ＦＡＸ装置の機能を説明する概念図。
【図５】ＦＡＸ装置により実行される印刷設定を説明するフローチャート。
【図６】ディスプレイユニット４０に表示されるＵＩ画面の変化を示す状態転移図。
【図７】ディスプレイユニット４０に表示されるＵＩ画面の変化を示す状態転移図。
【図８】トレイに用紙がセットされた場合にメインコントローラ５０が実行する処理を示すフローチャート。
【図９】図８のステップＳ１１において実行される処理を示すフローチャート。
【図１０】ディスプレイユニット４０に表示される問い合わせ画面３００を示す図。
【図１１】一例としての印刷処理（コピー処理）を説明するフローチャートである。
【図１２】第２の実施形態に係る問い合わせ処理を説明する図。
【図１３】第２の実施形態に係る問い合わせ処理においてメインコントローラ５０が実行する処理を示すフローチャート。
【図１４】第３の実施形態にかかる給紙カセットを説明する図。
【図１５】各トレイと、各トレイにセット可能な用紙サイズと、の関係を示す図。
【図１６】第４の実施形態に係る問い合わせ処理においてメインコントローラ５０が実行する処理を示すフローチャート。
【図１７】セットの別がある用紙を説明する図。
【図１８】第５の実施形態において、メインコントローラ５０が実行する処理を示すフローチャート。
【図１９】封筒用紙を設定している場合に、ステップＳ４２において表示される説明画面４００を示す図。
【図２０】第６の実施形態において、メインコントローラ５０が実行する問い合わせ処理を示すフローチャート。
【図２１】第７の実施形態に係る問い合わせ処理においてメインコントローラ５０が実行する処理を示すフローチャート。
【図２２】第８の実施形態に係る問い合わせ処理においてメインコントローラ５０が実行する処理を示すフローチャート。
【図２３】ＦＡＸ装置１００と、携帯端末６０とで構成されるシステム１１０の外観図である。
【発明を実施するための形態】
【００１４】
以下、下記の順序に従って本発明の実施形態を説明する。
１．第１の実施形態：
（１）ＦＡＸ装置の構成について
（２）印刷設定について
（３）問い合わせ処理について
２．第２の実施形態：
３．第３の実施形態：
４．第４の実施形態：
５．第５の実施形態：
６．第６の実施形態：
７．第７の実施形態：
８．第８の実施形態：
９．第９の実施形態：
１０．第１０の実施形態：
１１．その他の実施形態：
【００１５】
１．第１の実施形態：
（１）ＦＡＸ装置の構成について
図１は、ＦＡＸ装置の外観を示す外観図である。また、図２は、ＦＡＸ装置のハードウェア構成図である。
ＦＡＸ装置１００は、ＦＡＸ機能、印刷機能、スキャナー機能を備える複合機である。ＦＡＸ装置１００は、筺体９０と、筺体９０の上部に備えられたスキャナーユニット３０と、筺体９０の前面から引出し可能に配置され給紙部１０の一部であるトレイ（Ａトレイ１３、Ｂトレイ１４）１１、筺体９０の後部に備えられ給紙部１０の一部であるトレイ（手差しトレイ１２）１１、筺体９０の前方に備えられ画面の表示やユーザからの入力操作を受け付けるディスプレイユニット４０を備える。また、筺体９０の内部には、図２に示すハードウェアが内蔵されている。
【００１６】
図２に示すように、ＦＡＸ装置１００は、給紙部１０と、ＦＡＸ通信部２０と、スキャナーユニット３０と、プリンターユニット（印刷部）３５と、ディスプレイユニット４０と、メインコントローラ（制御部）５０と、を備える。上記した、各部はバス等を通じて電気的に接続されており、メインコントローラ５０によりその駆動が制御される。
【００１７】
ＦＡＸ通信部２０は、ネットワークに接続された他の装置（図示しない）とＦＡＸ通信を行う。ネットワークは電話回線、インターネット回線、またはこられを組み合わせた回線網である。ＦＡＸ通信部２０は、ネットワークを通じて、ＦＡＸデータの送受信を行う。
【００１８】
スキャナーユニット３０は、原稿台（図示しない）にセットされた原稿をスキャンして、データ化する。以下、スキャナーユニット３０によりスキャンされたデータを原稿データとも記載する。スキャナーユニット３０は、スキャナー機構３１と、このスキャナー機構３１を制御するスキャナーＡＳＩＣ３２とを備える。スキャナー機構３１は、周知の、フラットベッド式や、周知のＡＤＦ（Auto Document Feeder）式の機構である。
【００１９】
給紙部１０は、給紙ローラー（不図示）、搬送ローラー（不図示）、用紙をセットする紙置き場（トレイ１１）、用紙検出センサー１５、状態検出センサー１６を備える。給紙部１０は、紙置き場（トレイ１１）にセットされた用紙を、給紙ローラー（不図示）、搬送ローラーを用いてプリンターユニット３５に供給する。また、紙置き場は、手差しトレイ１２と、カセット型のＡトレイ１３、Ｂトレイ１４とを備える。以下、手差しトレイ１２、Ａトレイ１３、Ｂトレイ１４を総称する場合は、トレイ１１と記載する。なお、ここではトレイを３つとしているが、カセット型のトレイを増設したり、取り外したりすることで、トレイの数を変更することができる。
【００２０】
手差しトレイ１２は、『Ａ４』、『Ｂ５』などの定形サイズの普通用紙、定形外サイズの用紙、さらにはＯＨＰペーパー等の特殊用紙をセットすることができる。また、カセット型のＡトレイ１３とＢトレイ１４とは、Ａ４やＢ５などの定型サイズの普通用紙や定型サイズの特殊用紙をセットすることができる。即ち、この実施形態では、カセット型のＡトレイ１３、Ｂトレイは定形外サイズの用紙をセットすることができない。
【００２１】
給紙部１０には、手差しトレイ１２に用紙がセットされたことを検出する用紙検出センサー１５や、トレイ１１に備えられた用紙ガイドの位置やＡトレイ１３、Ｂトレイ１４が筺体９０から引き出されたり送入されたりしたことを検出する状態検出センサー１６を備える。ここで、用紙ガイドは、トレイ１１にセットする用紙のサイズを規定する機構である。また、Ａトレイ１３およびＢトレイ１４に対して用紙がセットされたことは、Ａトレイ１３またはＢトレイ１４が筺体９０から引き出された後、筺体９０に送入された状態を状態検出センサー１６が検出することで判断する。無論、Ａトレイ１３、Ｂトレイ１４に用紙がセットされたことを検出する方法はこれに限定されず、Ａトレイ１３、Ｂトレイ１４に用紙のセットを検出するセンサーを備えるものであってもよい。
【００２２】
プリンターユニット３５は、ＦＡＸ通信部２０により受信された受信データ、ホストＰＣから送信された印刷データ、セットされたメモリカードやＵＳＢメモリ等に記憶された写真データまたはスキャナーユニット３０によりスキャンされた原稿データなどに基づいて用紙に印刷を行う。プリンターユニット３５は、プリンター機構３６と、このプリンター機構３６を制御するプリンターＡＳＩＣ３７とを備える。プリンター機構３６は、給紙部１０が給紙した用紙に対し、原稿データから生成された印刷用データに基づいて画像を形成する。
プリンター機構３６は、周知のインクジェット方式や、レーザー方式の任意の機構である。
【００２３】
ディスプレイユニット４０は、ＬＣＤモジュール４２とタッチパネルモジュール４４と、ＬＣＤモジュール４２の表示を制御するＬＣＤコントローラ４１と、タッチパネルモジュール４４の入力を制御するタッチパネルコントローラ４３とを備える。ここでは、ユーザはタッチパネルで操作を行うことができるが、ディスプレイとは別に設けたボタンを用いて操作を行うことができるようにしてもよい。
【００２４】
メインコントローラ５０は、ＣＰＵ５１、ＲＯＭ５２、ＲＡＭ５３、フラッシュメモリ５４、インターフェース（Ｉ／Ｆ）５５を中心とするマイクロプロセッサーとして構成されている。そして、ＣＰＵ５１がＲＯＭ５２に記録された各種処理プログラムや各種データなどをＲＡＭ５３に展開して実行することで、ＦＡＸ装置１００の駆動を統合的に制御する。
メインコントローラ５０は、ボタン群５６からの操作信号などがＩ／Ｆ５５を介して受信し、給紙部１０、ＦＡＸ通信部２０、スキャナーユニット３０、プリンターユニット３５，ディスプレイユニット４０からの各種検知信号を受信する。また、メインコントローラ５０は、スキャン指令（原稿の読み取り指令）をスキャナーユニット３０（スキャナーＡＳＩＣ３２）に出力し、印刷指令をプリンターユニット３５（プリンターＡＳＩＣ３７）に出力し、表示指令をディスプレイユニット４０（ＬＣＤコントローラ４１）に出力する。
【００２５】
図３は、フラッシュメモリ５４に記録されている設定テーブル５４１を説明する図である。設定テーブル５４１は、給紙部１０にセットされた用紙と、用紙の種別（用紙サイズ、紙種）との対応関係を記録する情報である。ここで用紙サイズは、Ａ３・Ｂ４・Ａ４・Ｂ５などであり、紙種は、普通紙・ＯＨＰペーパー・色つき紙・厚紙などである。手差しトレイ１２ではユーザ設定サイズも用紙サイズとして記録可能である。この設定テーブル５４１には、トレイ１１（手差しトレイ１２、Ａトレイ１３、Ｂトレイ１４）と、各トレイ１１に対応付けられた用紙サイズと、紙種とが記録されている。メインコントローラ５０は、この設定テーブル５４１を参照することで、各トレイ１１から給紙される用紙の種別を判断し、どのトレイから給紙をするか決定し、プリンターユニット３５において実行される印刷処理のパラメータを変化させる。印刷対象として設定されている用紙の種別がどのトレイにもセットされていなければ、その旨を報知し、用紙のセットを促す。また、本実施形態では、設定テーブル５４１に記録された用紙の種別は、ユーザがディスプレイユニット４０を操作して、変更することもできる。
【００２６】
図４は、ＦＡＸ装置の機能を説明する概念図である。ここでは、図４を用いて、本発明に特に関係があるＦＡＸ装置１００の問い合わせ処理について説明を行う。図４では、一例として、手差しトレイ１２に用紙をセットした場合の、問合せの変化を示している。
ＦＡＸ装置１００は、給紙部１０（手差しトレイ１２）に用紙がセットされたことを検知すると（図４（ａ））、ディスプレイユニット４０に用紙の種別（用紙サイズ、紙種）を表示する問い合わせ処理を行う。この問い合わせ処理では、ＦＡＸ装置１００の状態に応じて、問合せの初期値となる用紙の種別が変化する。
【００２７】
ユーザが、印刷設定として、用紙サイズを『Ｂ５』に、紙種を『写真紙』に設定した印刷設定を行っている最中の場合（第１の場合）、ユーザが用紙を給紙部１０にセットすると、ディスプレイユニット４０に表示される画面（図４（ｂ））には、初期値を印刷設定として設定された値、すなわち『Ｂ５』、『写真紙』とする問合わせ画面が表示される（図４（ｃ））。ここで、印刷設定とは、ＦＡＸ装置１００に対して、印刷を行う用紙の用紙サイズや紙種を設定する処理である。一方、ユーザがＦＡＸ装置１００の印刷設定を行っていなければ（第２の場合）、図４（ｄ）に示すように、ユーザが用紙を給紙部１０にセットすると、ディスプレイユニット４０は初期値をそれまで記録していた用紙の種別とする問合せ画面を表示する。例えば、それまで記録していた用紙の種別は、前回そのトレイにセットされた用紙の種別として設定テーブル５４１に記録された用紙の種別である。図４（ｄ）では、前回セットされていた用紙サイズと紙種である『Ａ４』、『普通紙』がディスプレイユニット４０に表示されている。
【００２８】
ユーザは、ディスプレイユニット４０に表示された問い合わせの初期値を確認することで、給紙部１０にセットした用紙が以後の処理（ＦＡＸ受信、コピー、印刷）において適切なものであるか否かを判断することができる。無論、問い合わせ処理後においても、ユーザはディスプレイユニット４０を操作して、用紙の種別を変更することもできる。
【００２９】
（２）印刷設定について
次に、印刷設定について説明を行う。
図５は、ＦＡＸ装置により実行される印刷設定を説明するフローチャートである。また、図６、図７は、ディスプレイユニット４０に表示されるＵＩ画面の変化を示す状態転移図である。印刷設定において、ユーザが、用紙の種別を、『Ｂ５』、『写真紙』として設定する場合を例に説明を行う。
以下では、印刷設定の一例としてコピー設定を例に説明を行うが、他の設定（ＦＡＸ受信をして記憶している受信データの印刷処理、セットされたメモリカードやＵＳＢメモリ等に記憶された写真データの印刷処理等）においても、同様である。
【００３０】
ユーザがホーム画面２００（図６（ａ））の『コピー』のアイコン２０１を操作すると、メインコントローラ５０はこれを検知し、印刷設定を開始する。まず、ステップＳ１では、メインコントローラ５０は、コピー設定を行なうためのコピー設定画面２１０を表示させる（図６（ｂ））。このコピー設定画面２１０では、ＦＡＸ装置１００がコピーを行うための各種設定（印刷枚数、画質設定、トレイ、ｅｔｃ）を行うサブ設定画面（図７（ａ）（ｂ））や、コピーを開始するコピーアイコン２１１や、前の画面に戻るバックアイコン２１２が表示される。
【００３１】
本実施形態の印刷設定は、用紙を給紙するトレイ（手差しトレイ１２、Ａトレイ１３、Ｂトレイ１４）を指定した後、指定したトレイ１１から給紙させる用紙の種別を設定する場合や、用紙の種別のみを設定し、トレイ１１の指定は行わない場合のいずれにも対応している。後者の場合では、メインコントローラ５０が、設定された用紙の種別をもとにこの用紙の種別に対応するトレイ１１を自動で選択することとなる。この第１の実施形態では、いずれの設定方法においても対応している。
【００３２】
コピー設定画面２１０において、バックアイコン２１２を操作することなく、サブ設定画面（後述する２２０、２３０）を表示させ用紙の種別等の設定を行なうと（ステップＳ２：ＹＥＳ）、ステップＳ３では、メインコントローラ５０は、入力を受付ける。
例えば、ユーザが、コピー設定画面２１０で、用紙を給紙させるトレイ１１として、手差しトレイ１２を指定し、図７（ａ）に示す、用紙サイズを変更するためのサブ設定画面２２０を表示したとする。このサブ設定画面２２０では、手差しトレイ１２に給紙させる用紙サイズとして、『Ａ４』、『Ｂ５』、『Ｌ判』、『２Ｌ判』、『封筒サイズ』の各アイコンが表示される。
【００３３】
また、ユーザが、コピー設定画面２１０で、手差しトレイ１２を指定し、紙種を設定するためのアイコン（図示しない）を選択し、図７（ｂ）に示す、紙種を変更するためのサブ設定画面２３０を表示したとする。このサブ設定画面２３０では、例えば、手差しトレイ１２に給紙させる紙種として、『普通紙』、『写真紙』、『写真紙ライト』、『フォト光沢紙』の各アイコンが表示される。
【００３４】
メインコントローラ５０は、それぞれのサブ設定画面２２０、２３０において、用紙の種別を設定するためのユーザからの操作を受付ける（ステップＳ３）。そして、ユーザが設定を確定するＯＫアイコン２２１、２３１を操作すると（ステップＳ４：ＹＥＳ）、メインコントローラ５０は、用紙を給紙するトレイ１１（この例では、手差しトレイ１２）にセットする用紙の用紙サイズ、紙種をＲＡＭ５３に記録する（ステップＳ５）。
なお、ユーザが設定をキャンセルするコピーアイコン（図示しない）を操作すると、メインコントローラ５０は、変更後の用紙サイズ、紙種等をＲＡＭ５３に記録しない。
また、ステップＳ５で記録される用紙の種別の設定は、フラッシュメモリ５４に記録された設定テーブル５４１の内容を更新するものではなく、設定テーブル５４１の内容とは別に記録される値である。
【００３５】
ステップＳ６では、メインコントローラ５０は、状態フラグを印刷設定ありに変更する。状態フラグは、メインコントローラ５０が、印刷設定が行われたか否かを判断するための情報である。例えば、印刷設定において、トレイ１１（上記例では、手差しトレイ１２）を指定している場合は、該当トレイ１１に対応する状態フラグが印刷設定あり（以下では、印刷設定中とも記載する）を示す値に変化する。また、印刷設定において、トレイ１１を指定していなければ、各トレイ１２〜１４に共通となる状態フラグが変化する。
【００３６】
さらに、別のサブ設定画面を通じて、拡大縮小設定や印刷品質設定などのその他の設定についても、ユーザからの操作を受付けることができる。すなわち、ユーザが、コピー設定画面２１０から各設定に対するサブ設定画面を表示させる操作を行うと（ステップＳ７：ＹＥＳ）、メインコントローラ５０は、図示しないサブ設定画面を表示し、ユーザからの操作を受付ける（ステップＳ８）。
そして、ユーザがコピーアイコン２１１を操作すると（ステップＳ９：ＹＥＳ）、メインコントローラ５０は、コピー処理（印刷処理）を開始する。一方、ユーザがコピーアイコン２１１を操作することなく、トレイ１１に用紙をセットすると、メインコントローラ５０は、問い合わせ処理を開始する。なお、この第１の実施形態では、いずれのトレイ１１に対して用紙をセットした場合でも、問い合わせ処理は開始させる。
【００３７】
（３）問い合わせ処理について
次に、給紙部１０に用紙をセットした場合に実行される問い合わせ処理について説明する。図８は、トレイに用紙がセットされた場合にメインコントローラ５０が実行する処理を示すフローチャートである。また、図９は、図８のステップＳ１１において実行される処理を示すフローチャートである。そして、図１０は、ディスプレイユニット４０に表示される問い合わせ画面３００を示す図である。
【００３８】
ユーザが用紙をいずれかのトレイ１１にセットすると、メインコントローラ５０は、用紙がセットされたことを検出し、問い合わせ処理を開始する。例えば、メインコントローラ５０は、用紙検出センサー１５から出力される検出信号の変化により、手差しトレイ１２に用紙がセットされたことを検出する。また、メインコントローラ５０は、Ａトレイ１３またはＢトレイ１４が筺体９０から引き出されまたは送入されることで生じる状態検出センサー１６からの検出信号の変化により、Ａトレイ１３またはＢトレイ１４に用紙がセットされたことを検出する。なお、この第１の実施形態では、ユーザがどのトレイ１１に用紙をセットしても、メインコントローラ５０は問い合わせ処理を開始する。
【００３９】
ステップＳ１１では、メインコントローラ５０は、問い合わせ表示の制御を行う。ステップＳ１１で実施される問い合わせ表示の制御は、図１０に示す問い合わせ画面３００を表示するための処理である。
【００４０】
図９を用いて、図８のステップＳ１１で行われる問い合わせ表示の制御を説明する。
ステップＳ１１１において、メインコントローラ５０は、状態フラグを参照し、状態フラグが印刷設定中に変化していれば（ステップＳ１１１：ＹＥＳ）、ステップＳ１１２に進む。ステップＳ１１２では、メインコントローラ５０は、ＲＡＭ５３に記録された（図５のステップＳ５で記録された）用紙の種別を問合せの初期値として設定する。
【００４１】
一方、状態フラグが変化していない（即ち、印刷設定中でない）ならば（ステップＳ１１１：ＮＯ）、メインコントローラ５０は、ステップＳ１１３に進む。ステップＳ１１３では、メインコントローラ５０は、用紙がセットされたトレイ１１における設定テーブル５４１に設定されていた用紙の種別を初期値とする。無論、ステップＳ１１３における用紙の種別の初期値はこれに限定されない。
【００４２】
ステップＳ１１４では、メインコントローラ５０は、ステップＳ１１２またはステップＳ１１３で設定した初期値（用紙サイズ、紙種）をもとに、ディスプレイユニット４０に問い合わせ画面を表示させる。そのため、ディスプレイユニット４０には、図１０（ａ）に示した問い合わせ画面３００が表示される。
【００４３】
図１０（ａ）は、問い合わせ画面３００を示す図である。この問い合わせ画面３００には、用紙サイズの初期値３０１と、紙種の初期値３０２と、コピー処理を開始する確定アイコン３０３と、がそれぞれ表示されている。
【００４４】
図１０（ｂ）は、比較のため、状態フラグが変化していない場合（即ち、印刷設定中でない場合）の問い合わせ画面３００を示す図である。図１０（ｂ）では、用紙サイズの初期値３０１として『Ａ４』が、紙種の初期値３０２として『普通紙』が、それぞれ表示されている。例えば、『Ａ４』、『普通紙』は、それまで（用紙がセットされるまで）設定テーブル５４１において設定されていた、手差しトレイ１２に設定された用紙サイズ、紙種である。
【００４５】
図８に戻り、ステップＳ１２では、ユーザが問い合わせ画面３００の確定アイコン３０３を操作した場合（ステップＳ１２：ＹＥＳ）、ステップＳ１５では、メインコントローラ５０は、問い合わせ画面３００に表示した用紙の種別（図１０（ａ）では、『Ｂ５』『写真紙』）を用紙がセットされたトレイの用紙として設定テーブル５４１に記録する。
【００４６】
一方、ユーザが、確定アイコン３０３を操作せず（ステップＳ１２：ＮＯ）、用紙の種別を変更する操作を入力すると（ステップＳ１３：ＹＥＳ）、ステップＳ１４において、メインコントローラ５０は、用紙の種別の変更入力を受付ける。ステップＳ１４では、例えば、図７（ａ）及び（ｂ）に示したコピー設定画面２２０及び２３０をディスプレイユニット４０に表示させる。このコピー設定画面において、ユーザは、用紙の種別を変更することができる。
ステップＳ１２に戻り、ユーザが確定アイコン３０３を操作した場合（ステップＳ１２：ＹＥＳ）、ステップＳ１５において、メインコントローラ５０は、変更後の用紙の種別を用紙がセットされたトレイ１１の用紙として設定テーブル３４１に記録する。そして、ステップＳ１６では、メインコントローラ５０は、状態フラグを印刷設定なしに設定する。
【００４７】
次に、印刷処理（コピー処理）について説明する。
図１１は、一例としての印刷処理（コピー処理）を説明するフローチャートである。ユーザがコピーアイコン２１１を操作すると（例えば、図５のステップＳ９：ＹＥＳ）メインコントローラ５０は、コピー処理に進む。
ステップＳ９１では、メインコントローラ５０は、スキャナーユニット３０を制御して、原稿台にセットされた原稿のスキャンを開始する。そして、スキャナーユニット３０により読み込まれた原稿データは、プリンターユニット３５に出力される。ステップＳ９２では、メインコントローラ５０は、プリンターユニット３５を制御し、入力された原稿データをもとに、印刷設定（用紙の種別やその他の設定）に応じたパラメータを適用した印刷データを生成する。
その後、印刷設定でトレイ１１が指定されていれば（ステップＳ９３：ＹＥＳ）、ステップＳ９４では、メインコントローラ５０は、指定されているトレイ１１から用紙を給紙させる印刷を行う。このとき、メインコントローラ５０は、指定されているトレイ１１に印刷設定で設定された用紙の種別の用紙がセットされているか設定テーブル５４１を参照して確認する。設定された用紙がセットされていれば、メインコントローラ５０は、そのトレイ１１から給紙を行わせ、プリンターユニット３５に印刷データを用いて印刷を行わせる。一方、設定された用紙がセットされていなければ、メインコントローラ５０は、エラー表示を行い、ユーザに、設定された用紙を指定されているトレイにセットするように促す。
また、印刷設定でトレイ１１が指定されていなければ（ステップＳ９３：ＮＯ）、ステップＳ９５では、メインコントローラ５０は、いずれかのトレイ１１にセットされている用紙を用いてプリンターユニット３５に印刷を行わせる。このとき、メインコントローラ５０は、いずれかのトレイ１１に印刷設定で設定された用紙の種別の用紙がセットされているか設定テーブル５４１を参照して確認する。いずれかのトレイ１１に設定された用紙がセットされていれば、メインコントローラ５０は、設定された用紙がセットされているトレイ１１から給紙を行い、プリンターユニット３５に、印刷データを用いて印刷を行わせる。設定された用紙の種別の用紙がセットされていなければ、メインコントローラ５０は、エラー表示を行い、ユーザに設定された用紙をいずれかのトレイ１１にセットするように促す。
そして、ステップＳ９６において、メインコントローラ５０は、状態フラグを印刷設定なしに設定し、処理を終了する。
【００４８】
以上、説明したように、この第１の実施形態では、装置が、印刷設定中である場合、用紙をトレイ１１にセットした際、装置は、印刷設定で設定した用紙の種別を初期値とする問い合わせを行う。即ち、問い合わせにおいて、印刷設定で時前に設定した用紙が初期値であれば、そのまま設定を確定することができる。一方、印刷設定を行なっていない場合は、それまでに記録していた用紙の種別を初期値とする。
そのため、印刷設定を行なう場合にのみ、設定した用紙の種別が初期値として反映されるため、ユーザが用紙をセットする際の負担を軽減することができる。
また、問い合わせ処理を行なうことで、ユーザはセットした用紙と初期値が異なる場合を、判断することができ、用紙のセットミスによる印刷を防ぐことができる。
【００４９】
２．第２の実施形態：
この第２の実施形態では、問い合わせ処理において、用紙がセットされたトレイ１１に応じて、問い合わせ画面３００に表示される用紙の種別の初期値が変化する構成が第１の実施形態と比べて異なる。特に、この第２の実施形態では、印刷設定において、用紙を給紙するトレイ（手差しトレイ１２、Ａトレイ１３、Ｂトレイ１４）を指定した場合が第１の実施形態と比べて異なる。
【００５０】
図１２は、第２の実施形態に係る問い合わせ処理を説明する図である。図１２（ａ）は、印刷設定処理で設定したトレイ１１に用紙がセットされた場合に表示される問い合わせ画面３００を示す。また、図１２（ｂ）は、印刷設定処理で設定したトレイ１１以外のトレイ１１に用紙がセットされた場合に表示される問い合わせ画面３００を示す。
【００５１】
例えば、全てのトレイ１１に対応して『Ａ４』、『普通紙』が記録されていて、用紙がセットされていない状態で（図１２（ａ））、ユーザが印刷設定において、手差しトレイ１２と『Ｂ５』、『写真紙』を用いることを指定した場合について説明する。印刷設定中にユーザが用紙を手差しトレイ１２（印刷設定において設定されたトレイ）にセットした場合（図１２（ｂ））、問い合わせは、印刷設定で設定した用紙の種別（『Ｂ５』、『写真紙』）を初期値とする。一方、印刷設定中にユーザが用紙をＡトレイ１３（印刷設定において設定しなかったトレイ）にセットした場合（図１２（ｃ））、問い合わせは、それまで記録していた用紙の種別（『Ａ４』、『普通紙』）を初期値とする。
【００５２】
図１３は、第２の実施形態に係る問い合わせ処理においてメインコントローラ５０が実行する処理を示すフローチャートである。図１３に示すフローチャートでは、印刷設定において、用紙を給紙するトレイが指定されている場合に、図９のステップＳ１１２において実行される処理である。なお、図１３に示す以外の処理は、第１の実施形態と同様であるため、図８〜図１０を流用して説明を行う。
【００５３】
ユーザが用紙をトレイ１１にセットすると、メインコントローラ５０は、用紙がセットされたことを検出し、図８のステップＳ１１に示す問い合わせ表示の制御を開始する。そして、メインコントローラ５０が状態フラグの変化を検出し（図９、ステップＳ１１１：ＹＥＳ）、ステップＳ１１２に進む。
【００５４】
図１３のステップＳ１１２１では、メインコントローラ５０は、用紙がセットされたトレイ１１を判定する。コントローラ５０がトレイ１１に用紙がセットされたことを検出する手法は、第１の実施形態と同様の手法を用いることができる。
【００５５】
用紙がセットされたトレイ１１が、印刷設定において指定したトレイ１１であれば（ステップＳ１１２２：ＹＥＳ）、メインコントローラ５０は、ステップＳ１１２３に進む。例えば、手差しトレイ１２から用紙を給紙するよう指定しており、メインコントローラ５０が手差しトレイ１２に用紙がセットされたことを検出すれば、ステップＳ１１２３に進む。
【００５６】
ステップＳ１１２３では、メインコントローラ５０は、ＲＡＭ５３に記録された（図５のステップＳ５で記録された）用紙の種別を問い合わせの初期値として設定する。
【００５７】
一方、用紙がセットされたトレイ１１が、印刷設定において指定したトレイ１１でなければ（ステップＳ１１２２：ＮＯ）、メインコントローラ５０は、ステップＳ１１２４に進む。例えば、印刷設定において手差しトレイ１２を指定しており、かつ、メインコントローラ５０が、Ａトレイ１３またはＢトレイ１４に用紙がセットされたことを検出していれば、ステップＳ１１２４に進む。そして、ステップＳ１１２４において、メインコントローラ５０は、設定テーブル５４１を参照し、該当トレイ（この例では、Ａトレイ１３またはＢトレイ１４）に設定された用紙の種別を初期値として設定する。
【００５８】
以下、図９のステップＳ１１４では、メインコントローラ５０は、設定した用紙の種別の初期値をもとに、ディスプレイユニット４０に問い合わせ画面３００を表示させる。即ち、印刷設定において用紙を給紙するトレイに用紙がセットされたか否かに応じて、問い合わせにおける用紙の種別の初期値が変化する。
ユーザが問い合わせ画面３００の確定アイコン３０３を操作した場合（図８、ステップＳ１２：ＹＥＳ）、メインコントローラ５０は、問い合わせ画面３００に表示した用紙の種別を設定テーブル５４１に記録する（ステップＳ１５）。そして、ステップＳ１６において、メインコントローラ５０は、状態フラグを印刷設定なしに設定する。
一方、ユーザが、用紙の種別の変更を操作すると（図８、ステップＳ１３：ＹＥＳ）、メインコントローラ５０は、用紙の種別の変更入力を受付ける（ステップＳ１４）。
【００５９】
以上説明したように、この第２の実施形態では、用紙を給紙するトレイ１１を指定しており、かつ、設定されたトレイ１１に用紙がセットされた場合に、印刷設定で設定された用紙の種別を初期値とする問い合わせが行われる。そのため、印刷設定においてトレイ１１を指定する場合にも、第１の実施形態と同様の効果を奏する。
【００６０】
３．第３の実施形態：
この第３の実施形態では、内部の空間を切替え機構により切替えることで、別々のトレイとすることができるトレイ１１（給紙カセット）を用いる場合に、切替えられた紙置き場ごとに、問い合わせ処理の初期値を変更する構成が他の実施形態と異なる。
【００６１】
図１４は、第３の実施形態にかかる給紙カセットを説明する図である。例えば、このような給紙カセットの詳細な説明として、特開２０１０−４２８９３号公報が存在する。
【００６２】
給紙カセット１７は、本体１７１と、本体１７１の内部にスライド可能に固定された切替え機構１７２と、切替え機構１７２の状態変化を検出するセンサー（図示しない）とを備えている。そして、本体１７１内部には、切替え機構１７２を挟んで、上部側の上部紙置き場１７１ａと、下部側の下部紙置き場１７１ｂとが形成されている。
【００６３】
切替え機構１７２を本体１７１に対して図中後方Ｄｂにスライドさせた状態では、上部紙置き場１７１ａにセットされた用紙が給紙される。また、切替え機構１７２を本体１７１に対して図中前方Ｄｆにスライドさせた状態では、下部紙置き場１７１ｂにセットされた用紙が給紙される。そして、センサーは、切替え機構１７２の状態変化を検出し、切替え機構１７２の位置に応じた検出信号をメインコントローラ５０に出力する。また、上部紙置き場１７１ａ、下部紙置き場１７１ｂには、それぞれ用紙検知用の用紙検出センサーが取り付けられておらず、給紙をしてみて、実際に給紙がされるかどうかで紙の有無を判断している。
【００６４】
ＦＡＸ装置１００がこのような給紙カセット１７を備える場合にも、給紙可能な側の紙置き場に紙がセットされたものとして上記実施例同様に扱うことができる。例えば、印刷設定において上部紙置き場１７１ａをトレイとして指定した場合に、メインコントローラ５０は、用紙がセットされたことに応じて、図１３に示す問い合わせ処理を実行する。この問い合わせ処理では、切替え機構１７２を本体１７１に対して図中後方Ｄｂにスライドさせた状態で給紙カセット１７がセットされた場合（図１３、ステップＳ１１２２：ＹＥＳ）は、ＲＡＭに記録された印刷設定の用紙の種別を問い合わせの初期値とする（図１３、ステップＳ１１２３）。そして、ユーザが入力を終了したことに応じて、問い合わせ画面で示されていた用紙の種別を上部紙置き場１７１ａにセットされている用紙の種別として設定テーブル５４１に記憶する。
一方、切替え機構１７２を本体１７１に対して図中前方Ｄｆにスライドさせた状態で給紙カセット１７がセットされた場合は（図１３、ステップＳ１１２２：ＮＯ）、それまで設定テーブル５４１で下部紙置き場１７１ｂにセットされていた紙として記憶されている用紙の種別を問い合わせの初期値とする（図１３、ステップＳ１１２４）。そして、ユーザが入力を終了したことに応じて、問い合わせ画面で示されていた用紙の種別を下部紙置き場１７１ｂにセットされている用紙の種別として設定テーブル５４１に記憶する。
【００６５】
以上説明したように、この第３の実施形態では、機構を変化させることで１つの給紙カセットで、別々の紙置き場を設定する場合でも、本発明を適用することができる。
【００６６】
４．第４の実施形態：
この第４の実施形態では、印刷設定においてトレイ１１ごとにセットできる用紙の別がある場合に、印刷設定で設定された用紙に応じて、問い合わせの初期値を変化させる構成が他の実施形態と比べて異なる。また、この第４の実施形態では、印刷設定においてユーザが用紙を給紙するトレイ１１を指定せず、メインコントローラ５０がトレイ１１を自動で選択する場合を対象としている。無論、ユーザが用紙を給紙するトレイを指定することも選択できてもよいし、ユーザが用紙を給紙するトレイを指定することができずにメインコントローラ５０がトレイ１１を自動で選択することしかできないものであってもよい。
【００６７】
図１５は、トレイ１１と、トレイ１１にセット可能な用紙サイズと、の関係を示す図である。図１５に示す例では、手差しトレイ１２は、定形サイズ（Ａ４、Ａ５、Ｂ４、Ｂ５、ハガキサイズ、封筒サイズ）と不定形サイズ（ユーザー定義サイズ）をセット（給紙）可能である。また、Ａトレイ１３、Ｂトレイ１４は、一部の定形サイズ（Ａ４、Ａ５、Ｂ４、Ｂ５）のみをセット（給紙）可能である。
【００６８】
図１６は、第４の実施形態に係る問い合わせ処理においてメインコントローラ５０が実行する処理を示すフローチャートである。図１６に示すフローチャートでは、図９のステップＳ１１２において実行される処理である。以下の説明では、用紙サイズとして『封筒サイズ』が設定されているものとする。なお、図１６に示す以外の処理は、第１の実施形態と同様であるため、図８〜図１０を流用して説明を行う。
【００６９】
ユーザが用紙をトレイ１１にセットすると、メインコントローラ５０は、用紙がセットされたことを検出し、図８のステップＳ１１に示す問い合わせ表示の制御を開始する。そして、メインコントローラ５０が状態フラグの変化を検出し（図９、ステップＳ１１１：ＹＥＳ）、ステップＳ１１２に進む。
【００７０】
図１６のステップＳ１２２１では、メインコントローラ５０は、用紙がセットされたトレイ１１を判定する。例えば、メインコントローラ５０は、用紙検出センサー１５からの検出信号の変化に応じて、手差しトレイ１２に用紙がセットされたことを検出する。また、メインコントローラ５０は、状態検出センサー１６からの検出信号の変化に応じてＡトレイ１３またはＢトレイ１４に用紙がセットされたことを検出する。
【００７１】
用紙がセットされたトレイ１１が、印刷設定において設定した用紙の種別に対応していれば（ステップＳ１２２２：ＹＥＳ）、メインコントローラ５０は、ステップＳ１２２３に進む。メインコントローラ５０は、図１５に示した各トレイ１１と、用紙の種別との対応関係を記録している。そのため、例えば、印刷設定において、『封筒サイズ』の用紙を給紙するよう設定した場合、メインコントローラ５０が手差しトレイ１２に用紙がセットされたことを判定していれば（ステップＳ１２２１）、ステップＳ１２２３に進む。
ステップＳ１２２３では、メインコントローラ５０は、ＲＡＭ５３に記録された（図５のステップＳ５で記録された）印刷設定での用紙の種別を問い合わせの初期値として設定する。
【００７２】
一方、用紙がセットされたトレイ１１が、印刷設定において設定した用紙の種別に対応していなければ（ステップＳ１２２２：ＮＯ）、メインコントローラ５０は、ステップＳ１２２４に進む。例えば、メインコントローラ５０が、『封筒サイズ』に対応していないＡトレイ１３またはＢトレイ１４における用紙のセットを判定していれば（ステップＳ１２２１）、ステップＳ１２２４に進む。そして、ステップＳ１２２４において、メインコントローラ５０は、設定テーブル５４１を参照し、該当トレイ（この例では、Ａトレイ１３またはＢトレイ１４）に設定された用紙の種別を初期値として設定する。
【００７３】
以下、図９のステップＳ１１４では、メインコントローラ５０は、設定した用紙の種別の初期値をもとに、ディスプレイユニット４０に問い合わせ画面３００を表示させる。即ち、印刷設定で設定された用紙に対応しているトレイ１１に用紙がセットされたか否かに応じて、問い合わせにおける用紙の種別の初期値が変化する。
以下、ユーザが問い合わせ画面３００の確定アイコン３０３を操作した場合（図８、ステップＳ１２：ＹＥＳ）、メインコントローラ５０は、問い合わせ画面３００での用紙の種別をトレイ１１にセットされた用紙の種別として設定テーブル５４１に記録する（ステップＳ１５）。一方、ユーザが、用紙の種別の変更を操作すると（図８、ステップＳ１３：ＹＥＳ）、メインコントローラ５０は、用紙の種別の変更入力を受付ける（ステップＳ１４）。
【００７４】
以上説明したように、この第４の実施形態では、印刷設定で特定のトレイ１１にのみセットすることができる用紙を設定した場合に、用紙がこの用紙を給紙できるトレイ１１にセットされた場合と、給紙できないトレイ１１にセットされた場合とで、問い合わせの初期値を変化させる。そのため、用紙のセットミスによる印刷ミスを抑制することができる。
【００７５】
５．第５の実施形態：
この第５の実施形態では、印刷設定で、セット方向の別がある用紙を設定した場合に、問い合わせ処理に先だって、用紙のセット方法を通知する構成が他の実施形態と比べて異なる。
【００７６】
図１７は、セットの別がある用紙を説明する図である。図１７（ａ）（ｂ）では、セットの別がある用紙の一例として、封筒用紙を示す。また、図１７（ｃ）では、セットの別がある用紙の一例として、ＯＨＰペーパーを示す。
【００７７】
図１７（ａ）（ｂ）に示すように、封筒用紙は、長手方向の辺（長さＬ）と短手方向の辺（長さＷ）とが存在する。封筒用紙に対して長手方向の辺を上下にして文字を印刷する場合、印刷設定で、用紙サイズを『封筒サイズ』、印刷方向を『縦方向』に設定する。そして、手差しトレイ１２に封筒用紙をセットする場合、長手方向の辺を手差しトレイ１２の給紙方向に沿ってセットする。
【００７８】
また、封筒用紙に対して短手方向の辺を上下にして文字を印刷する場合、印刷設定で、用紙サイズを『封筒サイズ』、印刷方向を『横方向』に設定する。そして、手差しトレイ１２に封筒用紙をセットする場合、短手方向の辺を手差しトレイ１２の給紙方向に沿ってセットする。
【００７９】
また、図１７（ｃ）に示すように、ＯＨＰペーパー等の特殊用紙は印刷面（インク受容層）と非印刷面（基材）とが存在する。例えば、ＯＨＰペーパーを印刷する場合、印刷設定で、紙種を『ＯＨＰペーパー』に設定する。そして、手差しトレイ１２にＯＨＰペーパーをセットする場合、図１７（ｃ）に示すように、印刷面を表に向けて（装置によっては、裏に向けて）セットする。なお、ここでは説明を省略するが、セットの向きには、用紙の縦横と表裏との２つが組み合わさった場合も想定される。
この実施形態では、上記のように、セットの別が存在する用紙を印刷設定で設定した場合、問い合わせ処理に先立って、用紙のセット方向を説明する画面を表示する。
【００８０】
図１８は、第５の実施形態において、メインコントローラ５０が実行する処理を示すフローチャートである。図１８に示すフローチャートでは、ユーザが用紙をセットしようとしていることをメインコントローラ５０が検出した場合に実行される。例えば、トレイ１１のガイド位置が変更された場合や、Ａトレイ１３、Ｂトレイ１４が筺体９０から引き出されて、状態検出センサー１６からの検出信号が出力された場合である。
これ以外にも、メインコントローラ５０は、用紙がトレイ１１にセットされることなく状態フラグが印刷設定中に変化したことを検出した場合、用紙をセットしようとしているとして検出するものであってもよい。
【００８１】
ステップＳ２１において、メインコントローラ５０は、トレイ１１の状態フラグを参照し、状態フラグが印刷設定中に変化していれば（ステップＳ２１：ＹＥＳ）、ステップＳ２２に進む。一方、状態フラグが変化していない（即ち、印刷設定中でない）ならば（ステップＳ２１：ＮＯ）、メインコントローラ５０は、ステップＳ２５に進む。
【００８２】
ステップＳ２２では、メインコントローラ５０は、印刷設定で設定された用紙の種別を判断する。ＲＡＭ５３に記録された用紙の種別において、セットの別が存在する用紙が設定されていれば（ステップＳ２３：ＹＥＳ）、ステップＳ２４では、メインコントローラ５０は、用紙のセット方向の向きを通知するための説明画面４００をディスプレイユニット４０に表示する。
【００８３】
図１９は、封筒用紙を設定している場合に、ステップＳ２４において表示される説明画面４００を示す図である。
この説明画面４００には、用紙の長手方向の辺を手差しトレイ１２の給紙方向に沿ってセットするよう画面が表示される。無論、図１８に示した説明画面は一例に過ぎず、用紙がセットされるトレイ１１に応じて、その説明は適宜変更されるものである。また、図示しないが、ＯＨＰペーパーを印刷設定で設定している場合、トレイ１１にセットする際のＯＨＰペーパーの表裏を説明する説明画面が表示される。
【００８４】
一方、メインコントローラ５０は、ＲＡＭ５３に記録された用紙の種別において、セットの別が存在しない用紙が設定されていれば（ステップＳ２３：ＮＯ）、説明画面４００を表示させることなく、ステップＳ２５に進む。
【００８５】
その後、メインコントローラ５０は、用紙がセットされたことを検出すると（ステップＳ２５：ＹＥＳ）、問い合わせ処理を開始する。問い合わせ処理では、他の実施形態に示したように、トレイ１１にセットされている用紙を問い合せる問い合わせ画面が表示される。
【００８６】
以上説明したように、この第５の実施形態では、セット方向の別が存在する用紙を印刷設定において設定した場合に、問い合わせに先立って説明画面を表示させるため、ユーザが用紙をトレイ１１にセットする際のミスを抑制することができる。
【００８７】
６．第６の実施形態：
印刷設定中の第１の場合に問い合わせ処理を行なわず、印刷設定が行なわれていない第２の場合にのみ問い合わせ処理を行っても良い。
【００８８】
図２０は、第６の実施形態において、メインコントローラ５０が実行する問い合わせ処理を示すフローチャートである。
なお、この第１の実施形態では、ユーザがどのトレイ１２〜１４に用紙をセットしても、メインコントローラ５０は問い合わせ処理を開始する。
【００８９】
ユーザが用紙をいずれかのトレイ１１にセットすると、メインコントローラ５０は、用紙がセットされたことを検出し、図２０に示す問い合わせ処理を開始する。ステップＳ２１１において、メインコントローラ５０は、トレイ１１の状態フラグを参照し、状態フラグが印刷設定中に変化していれば（ステップＳ２１１：ＹＥＳ）、ステップＳ２１７に進む。即ち、印刷設定中であれば、メインコントローラ５０は、問い合わせを行わない。ステップＳ２１７では、メインコントローラ５０は、印刷設定により設定された用紙の種別を、トレイ１１にセットされた用紙として設定テーブル５４１に記録する。ステップＳ２１８では、メインコントローラ５０は、状態フラグを印刷設定なしに設定する。
【００９０】
一方、状態フラグが変化していない（即ち、印刷設定中でない）ならば（ステップＳ２１１：ＮＯ）、メインコントローラ５０は、ステップＳ２１２に進む。ステップＳ２１２では、メインコントローラ５０は、問い合わせの初期値を設定する。例えば、用紙がセットされたトレイ１１における設定テーブル５４１に設定されている用紙の種別を初期値とする。無論、ステップＳ２１２における用紙の種別の設定はこれに限定されない。
【００９１】
ステップＳ２１３では、メインコントローラ５０は、ステップＳ２１２で設定した初期値（用紙サイズ、紙種）をもとに、ディスプレイユニット４０に問い合わせ画面を表示させる。即ち、印刷設定中でなければ、メインコントローラ５０は、問い合わせ処理を行なう。例えば、ディスプレイユニット４０には、図１０（ａ）や図１０（ｂ）に示した問い合わせ画面が表示される。
【００９２】
ステップＳ２１４では、用紙の種別を確定するアイコンを操作すると（ステップＳ２１４：ＹＥＳ）、メインコントローラ５０は、ステップＳ２１７に進む。ステップＳ２１７では、メインコントローラ５０は、問い合わせ画面での用紙の種別をトレイ１１にセットされた用紙の種別として設定テーブル５４１に記録する。そして、メインコントローラ５０は、ステップＳ２１８において、状態フラグを印刷設定なしに設定する。
また、ユーザが、アイコンを操作せず（ステップＳ２１４：ＮＯ）、用紙の種別を変更するアイコンを操作すると（ステップＳ２１５：ＹＥＳ）、ステップＳ２１６において、メインコントローラ５０は、用紙の種別の変更入力を受付ける。
【００９３】
以上説明したように、この第６の実施形態では、印刷設定が行なわれた場合（第１の場合）は、設定された用紙の種別を記録するが、問い合わせを行わない。一方、印刷設定以外の場合（第２の場合）には問い合わせを行う。即ち、ユーザが印刷設定を行なった後に用紙がセットされた場合は印刷設定で設定された用紙の種別をトレイ１１にセットされた用紙として記録し、それ以外の場合で用紙のセットを行う場合にのみ初期値を問合せる。そのため、ユーザが印刷設定を行なう場合の負担を軽減することができる。
【００９４】
７．第７の実施形態：
上記した第６の実施形態において、用紙を給紙するトレイ１１をメインコントローラ５０に選択させる場合に、印刷設定において設定された用紙の種別に応じて問い合わせ処理の有無を変更するものであってもよい。
【００９５】
図２１は、第７の実施形態に係る問い合わせ処理においてメインコントローラ５０が実行する処理を示すフローチャートである。図２１に示すフローチャートは、図２０に示すフローチャートにおいて、ステップＳ２１１で印刷設定中であることが検出された場合に（ステップＳ２１１：ＹＥＳ）実行される処理である。以下の説明では、印刷設定において、用紙を給紙するトレイは、メインコントローラ５０が選択するものとするが、ユーザが指定するものであってもよい。
なお、図２１に示す以外の処理は、第６の実施形態と同様であるため、図２０を流用して説明を行う。
【００９６】
ユーザが用紙をトレイ１１にセットすると、メインコントローラ５０は、用紙がセットされたこと検出し、図２０に示す処理を開始する。そして、メインコントローラ５０が状態フラグの変化を検出し（図２０、ステップＳ２１１：ＹＥＳ）、図２１のステップＳ２２０に進む。
【００９７】
図２１のステップＳ２２０では、メインコントローラ５０は、セットされた用紙を判定する。例えば、メインコントローラ５０がセットされた用紙の種別を判断する方法として、状態検出センサー１６からの検出信号によりガイドが所定の用紙サイズに設定されていることを検出した場合である。
【００９８】
そして、セットされた用紙が、印刷設定において設定した用紙であれば（ステップＳ２２１：ＹＥＳ）、メインコントローラ５０は、図２０のステップＳ２１７に進む。そして、ステップＳ２１７では、メインコントローラ５０は、印刷設定で設定された用紙の種別をトレイ１１にセットされた用紙として記録する。なお、コントローラ５０は、印刷設定において設定した用紙の種別を初期値とした問い合わせ画面を用いて問い合わせを行うものであってもよい。
【００９９】
一方、セットされた用紙が、印刷設定において設定した用紙でなければ（ステップＳ２２１：ＮＯ）、メインコントローラ５０は、ステップＳ２２２に進む。ステップＳ２２２では、メインコントローラ５０は、問い合わせの初期値を設定する。このとき、問い合わせの初期値は、用紙がセットされたトレイ１１における設定テーブル５４１に記録された用紙の種別であってもよい。
【０１００】
ステップＳ２２３では、メインコントローラ５０は、設定した用紙の種別の初期値をもとに、ディスプレイユニット４０に問い合わせ画面を表示させる。即ち、この実施形態では、印刷設定中であって、印刷設定において設定されていない用紙がトレイ１１にセットされた場合にのみ、問い合わせ処理が行われる。
そして、図２０のステップＳ２１４に進み、ユーザが用紙の種別を確定するアイコンを操作した場合（ステップＳ２１４：ＹＥＳ）、ステップＳ２１７では、メインコントローラ５０は、問い合わせ画面３００に表示した用紙の種別をトレイ１１にセットされた用紙の種別として設定テーブル５４１に記録する。そして、メインコントローラ５０は、ステップＳ２１８で状態フラグを印刷設定なしに設定する。また、ユーザが、アイコンを操作せず（ステップＳ２１４：ＮＯ）、用紙の種別を変更するアイコンを操作すると（ステップＳ２１５：ＹＥＳ）、ステップＳ２１６において、メインコントローラ５０は、用紙の種別の変更入力を受付ける。
【０１０１】
以上、説明したように、この第７の実施形態では、印刷設定中において、印刷設定で設定された用紙と異なる用紙の種別が設定された場合に、問い合わせ処理を行なうため、ユーザの用紙の誤セットに応じた印刷ミスを抑制することができる。
【０１０２】
８．第８の実施形態：
第４の実施形態のように、トレイ１１ごとにセットできる用紙（第１の用紙）の別があり、印刷設定で第１の用紙が設定される場合に、第６の実施形態に係る処理を行うものであってもよい。即ち、メインコントローラ５０は、第１の用紙をセット（給紙）できるトレイ１１に用紙がセットされた場合は、問い合わせを行わず、第１の用紙をセット（給紙）できないトレイ１１に用紙がセットされた場合は、問い合わせを行う。この第８の実施形態では、印刷設定においてユーザが用紙を給紙するトレイを設定する場合と、メインコントローラ５０が給紙トレイを自動で選択する場合とのいずれも対象としている。
【０１０３】
図２２は、第８の実施形態に係る問い合わせ処理においてメインコントローラ５０が実行する処理を示すフローチャートである。図２２に示すフローチャートでは、図２０に示すフローチャートにおいて、ステップＳ２１１で印刷設定中であることが検出された場合に（ステップＳ２１１：ＹＥＳ）実行される処理である。以下の説明では、印刷設定において、用紙を給紙するトレイは、メインコントローラ５０が設定するものとする。
なお、図２２に示す以外の処理は、第６の実施形態と同様であるため、図２０を流用して説明を行う。
【０１０４】
ユーザが用紙をトレイ１１にセットすると、メインコントローラ５０は、用紙がセットされたことを検出し、図２０の処理を開始する。そして、メインコントローラ５０が状態フラグの変化を検出し（図２０、ステップＳ２１１：ＹＥＳ）、図２２のステップＳ２２４に進む。
【０１０５】
図２２のステップＳ２２４では、メインコントローラ５０は、用紙がセットされたトレイ１１を判定する。用紙がセットされたトレイ１１が、印刷設定において設定した用紙の種別に対応していれば（ステップＳ２２５：ＹＥＳ）、メインコントローラ５０は、図２０のステップＳ２１７に進む。即ち、メインコントローラ５０は問い合わせを行わない。
【０１０６】
一方、用紙がセットされたトレイ１１が、印刷設定において設定した用紙サイズに対応していなければ（ステップＳ２２５：ＮＯ）、メインコントローラ５０は、ステップＳ２２６に進む。ステップＳ２２６では、メインコントローラ５０は、問い合わせ処理の初期値を設定する。このとき、設定される初期値は、印刷設定において設定した用紙の種別であってもよいし、設定テーブル５４１に記録された用紙の種別であってもよい。
【０１０７】
ステップＳ２２７では、メインコントローラ５０は、設定した用紙の種別の初期値をもとに、ディスプレイユニット４０に問い合わせ画面を表示させる。そして、図２０のステップＳ２１４に進み、ユーザが用紙の種別を確定するアイコンを操作した場合（ステップＳ２１４：ＹＥＳ）、ステップＳ２１７では、メインコントローラ５０は、問い合わせ画面３００に表示した用紙の種別をトレイ１１にセットされた用紙の種別として設定テーブル５４１に記録する。一方、ユーザが、アイコンを操作せず（ステップＳ２１４：ＮＯ）、用紙の種別を変更するアイコンを操作すると（ステップＳ２１５：ＹＥＳ）、ステップＳ２１６において、メインコントローラ５０は、用紙の種別の変更入力を受付ける。
【０１０８】
以上、説明したように、この第８の実施形態では、印刷設定中において、印刷設定で設定された用紙と異なる用紙の種別が設定された場合であって、第１の用紙をセット（給紙）できないトレイ１１に用紙がセットされた場合に、問い合わせ処理を行なうため、ユーザの誤セットに応じた印刷ミスを抑制することができる。
【０１０９】
９．第９の実施形態：
上記した第３の実施形態のように、内部の空間を切替え機構により切替えることで、１つのカセット内の別々の紙置き場から用紙を給紙する給紙カセットを用いる場合に、第６の実施形態を適用するものであってもよい。即ち、給紙カセットにおける印刷設定において設定された紙置き場に用紙がセットされた場合は、問い合わせを行わず、印刷設定において設定されていない紙置き場に用紙がセットされた場合に問い合わせを行う。
【０１１０】
この第９の実施形態では、機構を切替えることで、トレイを変更できる給紙カセットにおいても、ユーザの用紙の誤セットに応じた印刷ミスを抑制することができる。
【０１１１】
１０．第１０の実施形態：
上記した第６〜第９の実施形態に対して、第５の実施形態のように、印刷設定で、セット方向の別がある用紙を設定した場合に、問い合わせ処理に先だって、用紙のセット方法を通知する構成を加えるものであってもよい。
上記のように構成することで、セット方向の別が存在する用紙を印刷設定において設定した場合に、問い合わせに先立って説明画面を表示させるため、ユーザが用紙をトレイ１１にセットする際のミスを抑制することができる。
【０１１２】
１１．その他の実施形態：
また、ＦＡＸ装置１００がスマートフォン等の携帯端末と通信を行うことができる場合に、携帯端末をリモコン装置として使用するものであってもよい。
【０１１３】
図２３は、ＦＡＸ装置１００と、携帯端末６０とで構成されるシステム１１０の外観図である。例えば、ＦＡＸ装置１００と、携帯端末６０とは、無線ＬＡＮや近距離無線通信を介して接続されている。
【０１１４】
携帯端末６０は筺体６１の全面にタッチパネルとしても機能するディスプレイ６２を露出させて配置している。このシステム１１０では、ユーザがディスプレイ６２を操作することで、ＦＡＸ装置１００に受信したＦＡＸデータを出力（印刷）させることができる。
また、ＦＡＸ装置１００は、携帯端末６０と通信可能な通信Ｉ／Ｆを備え、携帯端末６０のディスプレイ６２に、上記した第１〜第１０の実施形態と同様の問い合わせ画面を表示させることができる。そのため、この実施形態では、通信Ｉ／Ｆがユーザからの入力を受付ける入力部となる。
【０１１５】
上記構成とすることで、携帯端末６０をＦＡＸ装置１００のリモコン装置として用いる場合でも、本発明を適用することができる。
【０１１６】
問い合わせとして画像を用いたことは一例であり、音声を用いてユーザに問い合わせを行うものであってもよい。この場合、ＦＡＸ装置は、音声を出力するためのスピーカー等の音声出力部やユーザの声を取得するマイク等の音声入力部を備え、メインコントローラ５０により制御される。
また、問い合わせ画面は、上記した実施形態のものに限定されず、様々なものが想定される。
また、状態フラグを変化させるのは上述の場合に限られない。例えば、ユーザがホーム画面２００（図６（ａ））から、印刷設定を開始したことに応じて、状態フラグを印刷設定ありにしてもよい。この場合、用紙の種別がユーザによって変更されるまでは、印刷設定におけるデフォルト（例えば、設定テーブルに記録された）の用紙の種別を印刷設定の用紙の種別としてＲＡＭ５３に記録してもよい。また例えば、印刷設定の用紙がセットされた用紙として確定されることで状態フラグを印刷設定なしにしてもよい。そして印刷設定の用紙以外の用紙がセットされた用紙として確定された場合には、状態フラグを変化させない。これによって、ユーザが最初にセットした用紙が印刷設定の用紙でなく、その後にセットした用紙が印刷設定の用紙である場合にも、ユーザの用紙の誤セットに応じた印刷ミスを抑制することができる。また例えば、印刷設定で指定されたトレイに用紙がセットされて用紙の種別が確定されることで状態フラグを印刷設定なしにしてもよい。そして印刷設定で指定されていないトレイに用紙がセットされた場合には、状態フラグを変化させない。さらに、印刷が完了するまでは状態フラグを印刷設定に維持し、印刷が完了することに応じて状態フラグを印刷設定なしにすることが望ましい。これらの、状態フラグを印刷設定ありにするタイミングから状態フラグを印刷設定なしにするタイミングまでを、「印刷設定中」であるとしてもよい。
【０１１７】
さらに、本発明をＦＡＸ装置１００により説明したことは一例であり、印刷装置として捉えるものであってもよい。
【０１１８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【０１１９】
１０…給紙部、１１…トレイ、１２…手差しトレイ、１３…Ａトレイ、１４…Ｂトレイ、１５…用紙検出センサー、１６…状態検出センサー、１７…給紙カセット、２０…ＦＡＸ通信部、３０…スキャナーユニット、３１…スキャナー機構、３２…スキャナーＡＳＩＣ、３５…プリンターユニット、３６…プリンター機構、３７…プリンターＡＳＩＣ、４０…ディスプレイユニット、４１…ＬＣＤコントローラ、４２…ＬＣＤモジュール、４３…タッチパネルコントローラ、４４…タッチパネルモジュール、５０…メインコントローラ、５１…ＣＰＵ、５２…ＲＯＭ、５３…ＲＡＭ、５４…フラッシュメモリ、５５…Ｉ／Ｆ、５６…ボタン群、６０…携帯端末、９０…筺体、１００…ＦＡＸ装置、１１０…システム
【図１】
2018093499.tif 000003
【図２】
2018093499.tif 000004
【図３】
2018093499.tif 000005
【図４】
2018093499.tif 000006
【図５】
2018093499.tif 000007
【図６】
2018093499.tif 000008
【図７】
2018093499.tif 000009
【図８】
2018093499.tif 000010
【図９】
2018093499.tif 000011
【図１０】
2018093499.tif 000012
【図１１】
2018093499.tif 000013
【図１２】
2018093499.tif 000014
【図１３】
2018093499.tif 000015
【図１４】
2018093499.tif 000016
【図１５】
2018093499.tif 000017
【図１６】
2018093499.tif 000018
【図１７】
2018093499.tif 000019
【図１８】
2018093499.tif 000020
【図１９】
2018093499.tif 000021
【図２０】
2018093499.tif 000022
【図２１】
2018093499.tif 000023
【図２２】
2018093499.tif 000024
【図２３】
2018093499.tif 000025
【手続補正書】
【提出日】平成30年1月26日(2018.1.26)
【手続補正２】
【補正対象書類名】明細書
【補正対象項目名】０００１
【補正方法】変更
【補正の内容】
【０００１】
本発明は、印刷設定により使用する用紙の設定を行なうことができる、印刷装置に関する。
【手続補正３】
【補正対象書類名】明細書
【補正対象項目名】０００４
【補正方法】変更
【補正の内容】
【０００４】
本発明は、ユーザが給紙部にセットする用紙の種別の設定を行なう場合の負担を軽減することができる、印刷装置の提供を目的とする。
【手続補正４】
【補正対象書類名】特許請求の範囲
【補正対象項目名】全文
【補正方法】変更
【補正の内容】
【特許請求の範囲】
【請求項１】
第１の用紙及び第２の用紙をセット可能な第１紙置き場と、
前記第１の用紙をセット不可能であり前記第２の用紙をセット可能な第２紙置き場と、
いずれかの前記紙置き場に用紙がセットされると、セットされた用紙の種類の問い合わせを行う制御部と、
印刷設定に基づいて選択した紙置き場から供給された用紙に該印刷設定に従った印刷を行う印刷部と、を備え、
前記制御部は、
前記印刷設定として前記第１の用紙が入力された後であって該印刷設定に基づく印刷を行う前に前記第２紙置き場に用紙がセットされたことに応じて、第１の問い合わせを行い、
前記印刷設定として前記第２の用紙が入力された後であって該印刷設定に基づく印刷を行う前に前記第２紙置き場に用紙がセットされたことに応じては、前記第１の問い合わせを行わない、ことを特徴とする印刷装置。
【請求項２】
前記第１の問い合わせは、それまでに前記第２紙置き場にセットされていたとして記憶している用紙の種類を初期値として表示部に表示させる問い合わせである、ことを特徴とする請求項１に記載の印刷装置。
【請求項３】
前記制御部は、前記印刷設定として前記第２の用紙が入力された後であって該印刷設定に基づく印刷を行う前に前記第２紙置き場に用紙がセットされたことに応じて、前記第２の用紙を初期値として表示部に表示させる第２の問い合わせを行う、ことを特徴とする請求項１又は請求項２に記載の印刷装置。
【請求項４】
前記制御部は、前記印刷設定として前記第２の用紙が入力された後であって該印刷設定に基づく印刷を行う前に前記第２紙置き場に用紙がセットされた場合には、前記問い合わせを行わない、ことを特徴とする請求項１又は請求項２に記載の印刷装置。
【請求項５】
前記制御部は、
前記印刷設定として前記第１の用紙が入力された後であって該印刷設定に基づく印刷を行う前に前記第１紙置き場に用紙がセットされたことに応じて、前記第１の用紙を初期値として表示部に表示させる第３の問い合わせを行い、
前記印刷設定として前記第２の用紙が入力された後であって該印刷設定に基づく印刷を行う前に前記第１紙置き場に用紙がセットされたことに応じて、前記第２の用紙を初期値として前記表示部に表示させる第４の問い合わせを行う、ことを特徴とする請求項１から請求項３のいずれかに記載の印刷装置。
【請求項６】
前記第１紙置き場は手差しトレイであり、前記第２紙置き場はカセットである、ことを特徴とする請求項１から請求項５のいずれかに記載の印刷装置。